(57)【特許請求の範囲】
【請求項１】
隣接する複数の波長信号を含む対象チャネルと、当該対象チャネルと隣り合う他のチャネルとの間の空き帯域を取得する取得部と、
前記取得部にて取得した前記空き帯域に対応する調整量に基づき、前記対象チャネル内の前記波長信号の信号パワーを調整する調整部と
を有することを特徴とする伝送装置。
【請求項２】
前記調整部は、
前記調整量に基づき、前記空き帯域側の波長信号の信号パワーを調整することを特徴とする請求項１に記載の伝送装置。
【請求項３】
前記調整部は、
前記調整量に基づき、前記対象チャネル内の隣接する複数の波長信号の内、中央の波長信号の信号パワーを調整することを特徴とする請求項１に記載の伝送装置。
【請求項４】
前記対象チャネルは、
複数の波長信号であるサブキャリアを含むスーパーチャネルであって、
前記取得部は、
前記スーパーチャネルと隣り合う他のチャネルとの間の空き帯域を取得し、
前記調整部は、
前記空き帯域に対応する調整量に基づき、前記スーパーチャネル内の前記サブキャリアの信号パワーを調整する
ことを特徴とする請求項１〜３の何れか一つに記載の伝送装置。
【請求項５】
前記波長信号は、
宛先が同一の信号であることを特徴とする請求項１〜４の何れか一つに記載の伝送装置。
【請求項６】
前記対象チャネルと隣り合う前記他のチャネルは、
前記対象チャネルと同一の伝送方式のチャネル、又は前記対象チャネルと異なる伝送方式のチャネルであることを特徴とする請求項１〜５の何れか一つに記載の伝送装置。
【請求項７】
前記調整量は、
前記空き帯域幅、前記対象チャネルを送信する伝送装置から制御対象の伝送装置までのスパン数又は、前記対象チャネルを送信する前記伝送装置から前記制御対象の伝送装置までの伝搬距離に応じた調整量であることを特徴とする請求項１〜６の何れか一つに記載の伝送装置。
【請求項８】
伝送装置が、
隣接する複数の波長信号を含む対象チャネルと、当該対象チャネルと隣り合う他のチャネルとの間の空き帯域を取得し、
前記取得した前記空き帯域に対応する調整量に基づき、前記対象チャネル内の前記波長信号の信号パワーを調整する
処理を実行することを特徴とする伝送方法。
【発明の詳細な説明】
【技術分野】
【０００１】
本発明は、伝送装置及び伝送方法に関する。
【背景技術】
【０００２】
例えば、直交周波数分割多重（ＯＦＤＭ：Orthogonal  Frequency  Division  Multiplexing）技術やＮｙｑｕｉｓｔ−ＷＤＭ（Wavelength  Division  Multiplexing）技術を用いて複数のサブチャネルを高密度に波長多重化し、一つの信号とみなすスーパーチャネル（Super-channel）が知られている。
【０００３】
図２２は、相互位相変調の非線形雑音によるスーパーチャネルへの影響の一例を示す説明図である。図２２に示すスーパーチャネルでは、例えば、スーパーチャネル内で隣接する複数のサブキャリア(sub-carrier:  SC)の内、中央のＳＣが隣接する両端のＳＣから相互位相変調の非線形雑音による影響を受け、その信号パワーが低下してしまう現象がある。その結果、中央のＳＣの信号パワーが低下し、スーパーチャネル内のＳＣ間で伝送性能に差が生じ、スーパーチャネル全体の伝送特性が劣化してしまう。
【０００４】
そこで、出願人は、両端のＳＣの信号パワーを下げて中央のＳＣが受ける非線形雑音による影響を軽減してＳＣ間の伝送性能を平均化することで、スーパーチャネル全体の伝送特性を改善する方法を提案している。
【先行技術文献】
【特許文献】
【０００５】
【特許文献１】特開２０１３−１０６３２８号公報
【発明の概要】
【発明が解決しようとする課題】
【０００６】
しかしながら、光伝送路上を伝送するスーパーチャネルと、当該スーパーチャネルと隣り合う他のチャネルとの間に空き周波数帯域が存在する場合、スーパーチャネル内の空き周波数帯域側のＳＣが非線形雑音の影響を受けるため、ＳＣ間で伝送性能に差が生じる。その結果、スーパーチャネル全体の伝送特性が劣化する。しかも、空き周波数帯域幅の大小によってＳＣ間の伝送性能の差も異なる。
【０００７】
一つの側面では、対象チャネルの伝送特性の劣化を抑制できる伝送装置及び伝送方法を提供することを目的とする。
【課題を解決するための手段】
【０００８】
一つの態様では、取得部と、調整部とを有する。取得部は、隣接する複数の波長信号を含む対象チャネルと、当該対象チャネルと隣り合う他のチャネルとの間の空き帯域を取得する。調整部は、前記取得部にて取得した前記空き帯域に対応する調整量に基づき、前記対象チャネル内の前記波長信号の信号パワーを調整する。
【発明の効果】
【０００９】
一つの側面として、対象チャネルの伝送特性の劣化を抑制できるという効果を有する。
【図面の簡単な説明】
【００１０】
【図１】図１は、実施例１の光伝送システムの一例を示す説明図である。
【図２】図２は、ノード及び制御装置の一例を示すブロック図である。
【図３】図３は、管理テーブルの一例を示す説明図である。
【図４】図４は、対応テーブルの一例を示す説明図である。
【図５】図５は、長波長側の空きスロット量と短波長側の空きスロット量とが異なる場合の調整量の取得方法の一例を示す説明図である。
【図６】図６は、設定テーブルの一例を示す説明図である。
【図７】図７は、ノード内の各回路の機能構成の一例を示す説明図である。
【図８】図８は、制御対象のスーパーチャネル内のＳＣ１〜ＳＣ４とＢＥＲとの関係の一例を示す説明図である。
【図９】図９は、通知処理に関わる制御装置の処理動作の一例を示すフローチャートである。
【図１０】図１０は、第１の調整処理に関わるノード側の処理動作の一例を示すフローチャートである。
【図１１】図１１は、異なる変調方式のチャネル群を考慮した調整量の例を示す説明図である。
【図１２】図１２は、スパン数を考慮した調整量の例を示す説明図である。
【図１３】図１３は、実施例２の光伝送システムの一例を示すブロック図である。
【図１４】図１４は、ノード内の各回路の機能構成の一例を示す説明図である。
【図１５】図１５は、第２の調整処理に関わるノードの処理動作の一例を示すフローチャートである。
【図１６】図１６は、実施例３の光伝送システムの一例を示すブロック図である。
【図１７】図１７は、ＯＣＭ制御回路及びＯＣＭの機能構成の一例を示す説明図である。
【図１８】図１８は、第１の通知処理に関わる制御装置の処理動作の一例を示すフローチャートである。
【図１９】図１９は、空きスロット判定処理に関わるノードの処理動作の一例を示すフローチャートである。
【図２０】図２０は、制御対象のスーパーチャネル内のＳＣ１〜ＳＣ４とＢＥＲとの関係の一例を示す説明図である。
【図２１】図２１は、対応テーブルの一例を示す説明図である。
【図２２】図２２は、相互位相変調の非線形雑音によるスーパーチャネルへの影響の一例を示す説明図である。
【発明を実施するための形態】
【００１１】
以下、図面に基づいて、本願の開示する伝送装置及び伝送方法の実施例を詳細に説明する。尚、本実施例により、開示技術が限定されるものではない。また、以下に示す実施例は、矛盾を起こさない範囲で適宜組み合わせても良い。
【実施例１】
【００１２】
図１は、実施例１の光伝送システム１の一例を示す説明図である。図１に示す光伝送システム１は、例えば、複数のサブキャリア（ＳＣ）を波長多重化して、１つの信号とみなすスーパーチャネルを伝送するシステムである。光伝送システム１は、複数のノードＮと、これら複数のノードＮ（Ｎ１〜Ｎｍ）を監視制御する制御装置２とを有し、これら複数のノードＮは光伝送路３で接続して構成する。尚、ノードＮは、“Ｎ”の後に自然数を付すことで各ノードＮを識別するものとする。
【００１３】
図２は、ノードＮ及び制御装置２の一例を示すブロック図である。図２に示す制御装置２は、通信部１１と、制御部１２と、管理テーブル１３と、対応テーブル１４とを有する。通信部１１は、各ノードＮと通信接続する通信インタフェースである。制御部１２は、制御装置２全体を制御する部位である。管理テーブル１３は、各ノードＮの光伝送路３上の通信に使用する通信帯域のスロットの使用状態、例えば、使用中スロット及び空きスロット毎の周波数帯域幅（スロット量）を管理する。尚、空きスロットとは、後述する制御対象のスーパーチャネルと、当該スーパーチャネルと隣り合う他のチャネルとの間の空き周波数帯域に相当する。図３は、管理テーブル１３の一例を示す説明図である。図３に示す管理テーブル１３は、ノードＮ単位で管理し、スロットの使用状態毎にスロット量を管理している。
【００１４】
図４は、対応テーブル１４の一例を示す説明図である。対応テーブル１４は、光伝送システム１内のノードＮ毎に伝送するスーパーチャネル内のＳＣの本数毎に備えている。更に、対応テーブル１４は、空きスロット量毎に、制御対象ＳＣに対応する調整量を管理している。尚、空きスロット量は、制御対象スーパーチャネルと隣り合う他のチャネルとの間の空き周波数帯域幅である。調整量は、制御対象ＳＣに対応する信号パワーの最適な出力レベルに相当するものである。空きスロット量が小さい場合、制御対象スーパーチャネル内のＳＣ間の伝送特性の差分が小さく、その調整量も小さくなる。また、空きスロット量が大きい場合、制御対象スーパーチャネル内のＳＣ間の伝送性能の差分が大きく、その調整量も大きくなる。
【００１５】
制御装置２は、光伝送システム１内の光伝送路３及びノードＮの仕様に応じて、図示せぬ測定装置で制御対象ＳＣ毎の調整量を予め実際に測定し、その制御対象ＳＣ毎の調整量を対応テーブル１４内に記憶しておくものとする。図４の（Ａ）に示す対応テーブル１４Ａは、ＳＣ１〜ＳＣ４の４本のＳＣのスーパーチャネルに対応したテーブルに相当し、空きスロット量に応じて制御対象ＳＣ毎の調整量を管理している。例えば、空きスロット量が２５ＧＨｚの場合、中央のＳＣ２及びＳＣ３の調整量が０ｄＢ、両端のＳＣ１及びＳＣ４の調整量が−０．５ｄＢである。つまり、ＳＣ本数が４本以上の偶数の場合、中央の２個のＳＣの調整量を０ｄＢにし、中央のＳＣから両端のＳＣに近付くに連れて調整量を信号パワーの減衰方向に大きくする。
【００１６】
更に、図４の（Ｂ）に示す対応テーブル１４Ｂは、ＳＣ１〜ＳＣ５の５本のＳＣのスーパーチャネルに対応したテーブルに相当し、空きスロット量に応じて制御対象ＳＣ毎の調整量を管理している。例えば、空きスロット量が２５ＧＨｚの場合、中央のＳＣ３の調整量が０ｄＢ、その次のＳＣ２及びＳＣ４の調整量が−０．５ｄＢ、その次の両端のＳＣ１及びＳＣ５の調整量が−１．０ｄＢである。つまり、ＳＣ本数が奇数の場合、中央の１個のＳＣの調整量を０ｄＢにし、中央のＳＣから両端のＳＣに近付くに連れて調整量を信号パワーの減衰方向に大きくする。
【００１７】
制御部１２は、光伝送システム１内の空きスロットを検出すると、空きスロットに隣接するスーパーチャネルを伝送するノードＮの対応テーブル１４の内、当該スーパーチャネルのＳＣの本数に対応した対応テーブル１４を選定する。更に、制御部１２は、選定した対応テーブル１４から空きスロット量に対応した制御対象ＳＣ毎の調整量を取得する。例えば、制御対象のスーパーチャネル内のＳＣが４本で、短波長側の空きスロット量及び長波長側の空きスロット量が同量の６２．６ＧＨｚの場合を想定する。この場合、制御部１２は、ＳＣ１及びＳＣ４を−０．８ｄＢ、ＳＣ２及びＳＣ３を０ｄＢの調整量を、図４の（Ａ）に示す対応テーブル１４から取得する。更に、制御部１２は、取得した制御対象ＳＣ及び、制御対象ＳＣ毎の調整量を制御対象ノードＮに通知する。
【００１８】
図５は、長波長側の空きスロット量と短波長側の空きスロット量とが異なる場合の調整量の取得方法の一例を示す説明図である。図５の例では、制御対象スーパーチャネル内のＳＣが５本で、短波長側の空きスロット量が１５０ＧＨｚ、長波長側の空きスロット量が１２．５ＧＨｚとする。制御部１２は、ＳＣ本数が５本のため、中央のＳＣ３の調整量を０ｄＢにする。更に、制御部１２は、短波長側の空きスロット量が１５０ＧＨｚの場合、短波長側の制御対象ＳＣがＳＣ１〜ＳＣ３のため、ＳＣ１〜ＳＣ３の調整量を取得する。つまり、制御部１２は、ＳＣ１を−２．０ｄＢ、ＳＣ２を−１．５ｄＢ、ＳＣ３を０ｄＢの調整量を、図５に示す対応テーブル１４から取得する。更に、制御部１２は、長波長側の空きスロット量が１２．５ＧＨｚの場合、長波長側の制御対象ＳＣがＳＣ３〜ＳＣ５のため、ＳＣ３〜ＳＣ５の調整量を取得する。つまり、制御部１２は、ＳＣ３を０ｄＢ、ＳＣ４を−０．３ｄＢ、ＳＣ５を−０．６ｄＢの調整量を対応テーブル１４から取得する。そして、制御部１２は、取得した制御対象ＳＣ及び、制御対象ＳＣ毎の調整量を制御対象ノードＮに通知する。
【００１９】
図２に示すノードＮは、第１の光増幅器２１と、光分岐部２２と、ＷＳＳ(Wavelength  Selective  Switch)２３と、光挿入部２４と、第２の光増幅器２５と、光分岐部２６と、受信回路２７と、送信回路２８とを有する。更に、ノードＮは、ＯＣＭ(Optical  Channel  Monitor)２９と、通信部３０と、ＯＣＭ制御回路３１と、ＷＳＳ制御回路３２と、設定テーブル３３とを有する。
【００２０】
第１の光増幅器２１は、光伝送路３から入力段で受信したスーパーチャネルを光増幅する回路である。光分岐部２２は、第１の光増幅器２１で増幅したスーパーチャネルを光分岐する。受信回路２７は、光分岐部２２で光分岐されたスーパーチャネルから指定ＳＣで伝送する情報を受信する回路である。ＷＳＳ２３は、光分岐部２２で光分岐されたスーパーチャネル内のＳＣ毎に信号パワーを調整する。送信回路２８は、送信する情報をスーパーチャネル内のＳＣに追加する回路である。光挿入部２４は、送信回路２８からの情報をＷＳＳ２３からのスーパーチャネル内の空きＳＣに光挿入する。第２の光増幅器２５は、光挿入部２４からのスーパーチャネルを光増幅する回路である。
【００２１】
通信部３０は、制御装置２との間で通信する通信インタフェースである。ＯＣＭ２９は、ノードＮの出力段でのスーパーチャネルのＳＣ単位の信号パワーを監視する監視回路である。ＯＣＭ制御回路３１は、ＯＣＭ２９を制御する回路である。ＷＳＳ制御回路３２は、ＷＳＳ２３を制御する回路である。設定テーブル３３は、ＷＳＳ２３に設定中の現在のＳＣ単位の調整量を記憶するテーブルである。図６は、設定テーブル３３の一例を示す説明図である。図６の（Ａ）に示す設定テーブル３３Ａは、制御装置２から取得した制御対象ＳＣ１〜ＳＣ４の調整量、例えば、ＳＣ１及びＳＣ４を−０．８ｄＢ、ＳＣ２及びＳＣ３を０ｄＢの調整量を管理している。尚、設定テーブル３３Ａは、長波長側及び短波長側の空きスロット量が同量の場合を例示している。図６の（Ｂ）に示す設定テーブル３３Ｂは、制御対象ＳＣ１〜ＳＣ５の調整量、例えば、ＳＣ１を−２．０ｄＢ、ＳＣ２を−１．５ｄＢ、ＳＣ３を０ｄＢ、ＳＣ４を−０．３ｄＢ、ＳＣ５を−０．６ｄＢの調整量を管理している。尚、設定テーブル３３Ｂは、長波長側の空きスロット量及び短波長側の空きスロット量が異なる場合を例示している。
【００２２】
図７は、ノードＮ内の各回路の機能構成の一例を示す説明図である。図７に示すＯＣＭ２９は、波長可変フィルタ２９Ａと、ＰＤ(Photo  Diode)２９Ｂと、ＡＤＣ(Analog-Digital  Converter)２９Ｃとを有する。波長可変フィルタ２９Ａは、所定帯域幅内の波長を掃引して受信波長を可変する。ＰＤ２９Ｂは、受信波長で受光した光パワーを電気変換する。ＡＤＣ２９Ｃは、電気変換した光パワーをパワー量としてデジタル変換する。ＯＣＭ制御回路３１は、波長可変フィルタ２９Ａの波長掃引を制御する。
【００２３】
ＷＳＳ制御回路３２は、算出部４１と、ＷＳＳ制御部４２とを有する。算出部４１は、通信部３０を通じて、制御装置２からの制御対象ＳＣ毎の調整量を取得した場合、制御対象ＳＣの調整量に対応するＡＴＴ補正量を算出し、算出した制御対象ＳＣ毎のＡＴＴ補正量をＷＳＳ制御部４２に設定する。ＷＳＳ制御部４２は、ＷＳＳ２３の調整を制御する。ＷＳＳ制御部４２は、制御対象ＳＣ毎のＡＴＴ補正量と当該制御対象ＳＣの現在ＡＴＴ値との差分で補正ＡＴＴ値を算出し、算出した制御対象ＳＣ毎の補正ＡＴＴ値をＷＳＳ２３に設定する。ＷＳＳ２３は、制御対象ＳＣ毎の補正ＡＴＴ値で制御対象ＳＣの信号パワーの減衰量を調整する。更に、算出部４１は、ＯＣＭ２９の測定結果である制御対象ＳＣ毎の信号パワーのパワー量を取得し、取得した制御対象ＳＣ毎のパワー量が設定通りであるか否かを監視する。尚、設定通りであるか否かを判定する処理は、制御装置２から取得した制御対象ＳＣ毎の調整量と実際の信号パワーとが同一であるか否かを判定する処理である。
【００２４】
図８は、制御対象のスーパーチャネル内のＳＣ１〜ＳＣ４とＢＥＲとの関係の一例を示す説明図である。図８の（Ａ）に示す制御対象のスーパーチャネルは、長波長及び短波長側の端ＳＣと他のスーパーチャネルと隣接しているため、空きスロットなしの状態である。制御対象のスーパーチャネル内のＳＣは、光信号の周波数スペクトルが隣接しているため、制御対象のスーパーチャネル内のＳＣ間のＢＥＲ（Bit  Error  Rate）の差分がなく、制御対象のスーパーチャネル全体の伝送特性も安定している。
【００２５】
図８の（Ｂ）に示す制御対象のスーパーチャネルは、短波長側のＳＣ１と他のスーパーチャネルとの間、長波長側のＳＣ４と他のスーパーチャネルとの間に空きスロットＳＬ１、ＳＬ２が存在している。制御対象のスーパーチャネルのＳＣ２及びＳＣ３のＢＥＲは、空きスロットの存在で、ＳＣ１及びＳＣ４の相互位相変調の非線形雑音による影響で上昇する。
【００２６】
制御装置２は、ノードＮの空きスロットを検出すると、空きスロットに関わる制御対象ノードＮのスーパーチャネルのＳＣ本数に対応した対応テーブル１４を選定する。更に、制御装置２は、選定した対応テーブル１４から空きスロット量（６２．５ＧＨｚ）に対応した制御対象ＳＣ毎の調整量を取得する。制御装置２は、制御対象ＳＣ毎の調整量を制御対象ノードＮに通知する。そして、制御対象ノードＮは、制御装置２からの制御対象ＳＣ毎の調整量を取得し、調整量に基づきＷＳＳ２３のＳＣ毎の減衰量を調整する。その結果、ノードＮは、制御対象ＳＣ毎の調整量に応じてＷＳＳ２３の減衰量の調整でＳＣ間のＢＥＲの差がなく、制御対象スーパーチャネル全体の伝送特性も安定する。
【００２７】
次に実施例１の光伝送システム１の動作について説明する。図９は、通知処理に関わる制御装置２の処理動作の一例を示すフローチャートである。図９に示す通知処理は、制御装置２が空きスロットを検出すると、空きスロットに対応した制御対象ＳＣ毎の調整量を制御対象ノードＮに通知する処理である。
【００２８】
図９において制御装置２の制御部１２は、管理テーブル１３のテーブル内容を参照し、光伝送システム１内に空きスロットを検出したか否かを判定する（ステップＳ１１）。尚、制御部１２は、光伝送システム１内の光伝送路３を伝送するチャネルの使用状況を監視し、その監視結果を管理テーブル１３に更新するものである。
【００２９】
制御部１２は、空きスロットを検出した場合（ステップＳ１１肯定）、空きスロットに関わる制御対象ノードＮ、制御対象スーパーチャネル及び、そのＳＣ本数を特定する（ステップＳ１２）。制御部１２は、制御対象ノードＮ及び制御対象スーパーチャネルのＳＣ本数に対応する対応テーブル１４を選定する（ステップＳ１３）。
【００３０】
制御部１２は、選定した対応テーブル１４から、空きスロット量に対応した制御対象ＳＣ毎の調整量を取得する（ステップＳ１４）。制御部１２は、取得した制御対象ＳＣ毎の調整量を制御対象ノードＮに通知し（ステップＳ１５）、図９に示す処理動作を終了する。また、制御部１２は、空きスロットを検出しなかった場合（ステップＳ１１否定）、図９に示す処理動作を終了する。
【００３１】
図９に示す通知処理では、制御装置２が空きスロットを検出すると、空きスロットの制御対象ノードＮ及び制御対象スーパーチャネルのＳＣ本数に対応した対応テーブル１４から空きスロット量に対応した制御対象ＳＣ毎の調整量を取得する。制御装置２は、空きスロット量に対応した制御対象ＳＣ毎の調整量を取得した場合、制御対象ＳＣ毎の調整量を制御対象ノードＮに通知できる。
【００３２】
図１０は、第１の調整処理に関わるノードＮの処理動作の一例を示すフローチャートである。図１０に示す第１の調整処理は、制御装置２から取得した制御対象ＳＣ毎の調整量に基づきＷＳＳ２３の各ＳＣの減衰量を調整する処理である。
【００３３】
図１０において各ノードＮ内のＷＳＳ制御回路３２内の算出部４１は、通信部３０を通じて、制御装置２から制御対象ＳＣ毎の調整量を受信したか否かを判定する（ステップＳ２１）。算出部４１は、制御対象ＳＣ毎の調整量を受信した場合（ステップＳ２１肯定）、制御対象ＳＣの調整量に基づき、制御対象ＳＣ毎のＡＴＴ補正量を算出する（ステップＳ２２）。
【００３４】
ＷＳＳ制御回路３２内のＷＳＳ制御部４２は、算出した制御対象ＳＣ毎のＡＴＴ補正量と制御対象ＳＣ毎の現在のＡＴＴ値との差分で、制御対象ＳＣ毎の補正ＡＴＴ値を算出する（ステップＳ２３）。ＷＳＳ制御部４２は、制御対象ＳＣ毎の補正ＡＴＴ値をＷＳＳ２３に設定する（ステップＳ２４）。その結果、ＷＳＳ２３は、制御対象ＳＣ毎の補正ＡＴＴ値に基づき、制御対象ＳＣ毎の減衰量を調整する。
【００３５】
算出部４１は、ＯＣＭ２９を通じて制御対象ＳＣ毎の現在の信号パワーのパワー量を取得し（ステップＳ２５）、制御対象ＳＣ毎の現在パワー量が制御対象ＳＣ毎の調整量の設定通りであるか否かを判定する（ステップＳ２６）。算出部４１は、制御対象ＳＣ毎の現在パワー量が制御対象ＳＣ毎の調整量の設定通りの場合（ステップＳ２６肯定）、図１０に示す処理動作を終了する。
【００３６】
算出部４１は、制御対象ＳＣ毎の現在パワー量が制御対象ＳＣ毎の調整量の設定通りでない場合（ステップＳ２６否定）、制御装置２からの制御対象ＳＣ毎の調整量を再度設定すべく、ステップＳ２３に移行する。また、算出部４１は、制御対象ＳＣ毎の調整量を受信しなかった場合（ステップＳ２１否定）、図１０に示す処理動作を終了する。
【００３７】
図１０に示す第１の調整処理を実行するノードＮは、制御対象ＳＣ毎の調整量を受信した場合、制御対象ＳＣ毎の調整量に基づく補正ＡＴＴ値をＷＳＳ２３に設定する。その結果、制御対象ＳＣ毎に、制御対象スーパーチャネル内の各ＳＣの伝送性能の差分がなくなるように信号パワーの減衰量を調整する。そして、制御対象スーパーチャネル内のＳＣ間で信号パワーの差分がなくなるため、スーパーチャネル全体での伝送特性が安定化して伝搬距離も延びる。
【００３８】
実施例１では、制御対象スーパーチャネルとの間で空きスロットを検出すると、空きスロット量に対応した、制御対象スーパーチャネルの制御対象ＳＣ毎の調整量を取得し、制御対象ＳＣ毎の調整量に基づく補正ＡＴＴ値をＷＳＳ２３に設定する。ＷＳＳ２３は、制御対象ＳＣ毎の調整量に基づき制御対象ＳＣ毎に信号パワーを減衰する。その結果、制御対象スーパーチャネル内のＳＣ間の伝送性能の差分がなくなるため、制御対象スーパーチャネル全体の伝送性能の特性の劣化を抑制できる。そして、信号品質の向上や伝搬距離の延長を実現できる。
【００３９】
制御装置２は、制御対象スーパーチャネルの短波長及び長波長側の空きスロット量が同一の場合、空きスロット量に対応した制御対象ＳＣの調整量を制御対象ノードＮに通知する。制御対象ノードＮは、制御装置２から取得した制御対象ＳＣ毎の調整量に基づく補正ＡＴＴ値をＷＳＳ２３に設定する。ＷＳＳ２３は、制御対象ＳＣ毎の補正ＡＴＴ値に基づき制御対象ＳＣ毎に信号パワーを減衰する。その結果、制御対象スーパーチャネル内のＳＣ間の伝送性能の差分がなくなるため、制御対象スーパーチャネル全体の伝送性能の特性の劣化を抑制できる。
【００４０】
制御装置２は、制御対象スーパーチャネルの短波長側の空きスロット量及び長波長側の空きスロット量が異なる場合、短波長側の空きスロット量に対応した制御対象ＳＣ毎の調整量を取得する。更に、制御装置２は、長波長側の空きスロット量に対応した制御対象ＳＣ毎の調整量を取得する。制御装置２は、長波長側の空きスロット量及び短波長側の空きスロット量に対応した制御対象ＳＣ毎の調整量を制御対象ノードＮに通知する。制御対象ノードＮは、制御装置２から取得した制御対象ＳＣ毎の調整量に基づく補正ＡＴＴ値をＷＳＳ２３に設定する。ＷＳＳ２３は、制御対象ＳＣ毎の補正ＡＴＴ値に基づき制御対象ＳＣ毎に信号パワーを減衰する。その結果、制御対象スーパーチャネルの長波長及び短波長側の空きスロット量が異なる場合でも、制御対象スーパーチャネル内のＳＣ間の伝送性能の差分がなくなるため、制御対象スーパーチャネル全体の伝送性能の特性の劣化を抑制できる。
【００４１】
実施例１では、制御対象スーパーチャネルと他のチャネル群との空きスロット量に応じて制御対象ＳＣ毎の調整量に基づく補正ＡＴＴ値をＷＳＳ２３に設定する。その結果、ＢＥＲを測定することなく、制御対象スーパーチャネル全体の伝送特性の劣化を抑制できる。
【００４２】
尚、上記実施例１では、制御対象のスーパーチャネルと隣り合う他のスーパーチャネルとの間で空きスロットを検出した場合に、空きスロット量に応じた制御対象ＳＣ毎の調整量を対応テーブル１４から取得する。隣り合うチャネルは、他のスーパーチャネルに限定されるものではなく、他の変調方式のチャネル群であっても良い。
【００４３】
図１１は、異なる変調方式のチャネル群を考慮した調整量の例を示す説明図である。図１１の（Ａ）に示す制御対象のスーパーチャネルは、その短波長側のＳＣ１に隣り合うＱＰＳＫ（Quadrature  Phase  Shift  Keying）のチャネル群が存在し、ＱＰＳＫのチャネル群との間に空きスロットＳＬ１が存在した状態である。更に、制御対象スーパーチャネルは、その長波長側のＳＣ４と隣り合う１６ＱＡＭ(Quadrature  Amplitude  Modulation)のチャネル群が存在し、１６ＱＡＭのチャネル群との間に空きスロットＳＬ２が存在した状態である。
【００４４】
制御対象のスーパーチャネルに関わる空きスロット量毎の制御対象ＳＣ毎の調整量は、隣り合うチャネルの変調方式に応じて異なるため、変調方式毎に対応テーブル１４を準備している。
【００４５】
図１１の（Ｂ）は、隣り合うチャネル群がＱＰＳＫの場合の制御対象スーパーチャネル（ＳＣ５本）の場合の対応テーブル１４Ｃの一例である。この場合、空きスロット量が１３７．５ＧＨｚの場合、各ＳＣの調整量は、ＳＣ１及びＳＣ５が−２．０ｄＢ、ＳＣ２及びＳＣ４が−１．５ｄＢ、ＳＣ３が０ｄＢとなる。
【００４６】
これに対して、図１１の（Ｃ）は、隣り合うチャネル群が１６ＱＡＭの場合の制御対象スーパーチャネル（ＳＣ５本）の場合の対応テーブル１４Ｄの一例である。この場合、空きスロット量が１３７．５ＧＨｚの場合、各ＳＣの調整量は、ＳＣ１及びＳＣ５が−１．８ｄＢ、ＳＣ２及びＳＣ４が−１．３ｄＢ、ＳＣ３が０ｄＢとなる。
【００４７】
調整量は、隣り合うチャネル群の多値度が上昇するに連れて、制御対象スーパーチャネルの端側のＳＣへの相互位相変調の影響が大きくなってＳＣ間の伝送性能の差が小さくなるため、その調整量も小さくて済む。
【００４８】
制御装置２は、制御対象スーパーチャネルの短波長側ＳＣ１とＱＰＳＫのチャネル群との間の空きスロット量を検出した場合、図１１の（Ｂ）に示す対応テーブル１４Ｃを選定する。制御装置２は、対応テーブル１４Ｃから短波長側の制御対象ＳＣとしてＳＣ１、ＳＣ２及びＳＣ３の調整量を取得する。つまり、制御装置は、ＳＣ１の調整量として−２．０ｄＢ、ＳＣ２の調整量として−１．５ｄＢ、ＳＣ３の調整量として０ｄＢを取得する。
【００４９】
更に、制御装置２は、制御対象スーパーチャネルの長波長側ＳＣ４と１６ＱＡＭのチャネル群との間の空きスロット量を検出した場合、図１１の（Ｃ）に示す対応テーブル１４Ｄを選定する。制御装置２は、対応テーブル１４Ｄから長波長側の制御対象ＳＣとしてＳＣ３、ＳＣ４及びＳＣ５の調整量を取得する。つまり、制御装置２は、ＳＣ５の調整量として−１．８ｄＢ、ＳＣ４の調整量として−１．３ｄＢ、ＳＣ３の調整量として０ｄＢを取得する。
【００５０】
そして、制御装置２は、制御対象ノードＮに対して、ＳＣ１の調整量として−２．０ｄＢ、ＳＣ２の調整量として−１．５ｄＢ、ＳＣ３の調整量として０ｄＢ、ＳＣ４の調整量として−１．３ｄＢ及びＳＣ５の調整量として−１．８ｄＢを通知する。
【００５１】
制御装置２は、制御対象スーパーチャネルと隣り合うチャネル群の変調方式の空きスロット量に応じた制御対象ＳＣ毎の調整値を取得し、制御対象ＳＣ毎の調整量を制御対象ノードＮに通知する。制御対象ノードＮは、制御対象ＳＣ毎の調整量に基づき、ＷＳＳ２３の制御対象ＳＣ毎の減衰量を調整する。その結果、制御対象スーパーチャネルと隣り合うチャネル群の変調方式が長波長及び短波長側で異なり、しかも、空きスロットが存在する場合でも、制御対象スーパーチャネル内のＳＣ間の伝送性能の差分がなくなる。しかも、制御対象スーパーチャネル全体の伝送性能の特性の劣化を抑制できる。
【００５２】
また、上記実施例１では、隣り合う他のチャネルとの空きスロット量に応じて制御対象ＳＣ毎の調整量を調整した。制御装置２は、制御対象スーパーチャネルを伝送する送信端ノードＮ（Ｔｘ）から制御対象ノードＮ（ｍ）までのスパン数に応じても調整量が変動する。そこで、スパン数に応じて、空きスロット量毎の制御対象ＳＣ毎の調整量を管理する対応テーブル１４を準備する。図１２は、スパン数を考慮した調整量の例を示す説明図である。尚、各スパンのスパン長は同一とする。
【００５３】
図１２の（Ａ）では、制御対象ノードＮ（ｍ）が送信端ノードＮ（Ｔｘ）から制御対象のスーパーチャネルをスパンＳＰ１で受信し、そのスーパーチャネルをスパンＳＰ２から送信するまでのスパン数が“２”の場合を例示している。スパン数が少ない場合、送信端ノードＮ（Ｔｘ）から制御対象ノードＮ（ｍ）までの伝搬距離が近いとも言えるため、スパンでの非線形雑音の影響が大きく、調整量も大きくなる。
【００５４】
制御装置２は、制御対象ノードＮ（ｍ）のスパン数“２”に対応した、図１２の（Ｂ）に示す対応テーブル１４Ｅを準備している。スパン数“２”の対応テーブル１４Ｅは、例えば、空きスロット量が１２．５ＧＨｚの場合、ＳＣ２及びＳＣ３の調整量を０ｄＢ、ＳＣ１及びＳＣ４の調整量を−０．５ｄＢを管理している。
【００５５】
また、図１２の（Ｃ）では、制御対象ノードＮ（ｍ）が送信端ノードＮ（Ｔｘ）から制御対象のスーパーチャネルをスパンＳＰ６で受信し、そのスーパーチャネルをスパンＳＰ７から送信するまでのスパン数が７の場合を例示している。スパン数が多い場合、送信端ノードＮ（Ｔｘ）から制御対象ノードＮ（ｍ）までの伝搬距離が遠いため、スパンでの非線形雑音の影響が小さく、調整量も小さくなる。
【００５６】
制御装置２は、制御対象ノードＮ（ｍ）のスパン数“７”に対応した、図１２の（Ｄ）に示す対応テーブル１４Ｆを準備している。スパン数“７”の対応テーブル１４Ｆは、例えば、空きスロット量が１２．５ＧＨｚの場合、ＳＣ２及びＳＣ３の調整量を０ｄＢ、ＳＣ１及びＳＣ４の調整量を−０．３ｄＢを管理している。
【００５７】
つまり、スパン数が少ない場合、送信端ノードＮ（Ｔｘ）から制御対象ノードＮ（ｍ）までの伝搬距離が近いため、スパンでの非線形雑音の影響が大きく、調整量も大きくなる。スパン数が多い場合、送信端ノードＮ（Ｔｘ）から制御対象ノードＮ（ｍ）までの伝搬距離が遠いとも言えるため、スパンでの非線形雑音の影響が小さく、調整量も小さくなる。
【００５８】
尚、各スパンのスパン長が同一として説明したが、各スパンのスパン長が同一であることに限定されるものではない。また、スパン数ではなく、制御対象スーパーチャネルの送信端ノードＮ（Ｔｘ）から制御対象ノードＮ（ｍ）までの伝搬距離に応じても調整量が変動するため、伝搬距離毎に制御対象ＳＣ毎の調整量を管理する対応テーブルを準備しても良い。
【００５９】
制御装置２は、制御対象スーパーチャネルの長波長及び短波長側の両方に空きスロットが存在する場合を例示した。例えば、長波長及び短波長側の何れか一方に空きスロットが存在し、例えば、制御対象スーパーチャネル内のＳＣ本数が５本（ＳＣ１〜ＳＣ５）で短波長側に空きスロットが存在し、空きスロット量が２５ＧＨｚとする。制御装置２は、制御対象ＳＣをＳＣ１〜ＳＣ３とし、ＳＣ１の調整量を−１．０ｄＢ、ＳＣ２の調整量を−０．５ｄＢ、ＳＣ３の調整量０ｄＢを対応テーブル１４Ｂ（図４の（Ｂ）参照）から取得する。そして、制御装置２は、制御対象ＳＣ（ＳＣ１〜ＳＣ３）毎の調整量を制御対象ノードＮに通知する。その結果、制御対象スーパーチャネル内の長波長側及び短波長側のいずれか一方に空きスロットが存在する場合でも、制御対象スーパーチャネル内のＳＣ間の伝送性能の差分がなくなる。しかも、制御対象スーパーチャネル全体の伝送特性の劣化を抑制できる。
【００６０】
尚、上記実施例１の各ノードＮは、制御装置２から空きスロット量に対応する制御対象スーパーチャネル内の制御対象ＳＣ毎の調整量を取得した場合、制御対象ＳＣ毎の調整量に基づき、ＷＳＳ２３の制御対象ＳＣ毎の減衰量を調整した。しかしながら、減衰量を調整後、チャネル増設等で減衰量が０ｄＢを下回る場合に光増幅器で増幅する必要がある。そこで、このような事態に対処する実施の形態につき、実施例２として、以下に説明する。
【実施例２】
【００６１】
図１３は、実施例２の光伝送システム１Ｂの一例を示すブロック図、図１４は、ノードＮＡ内の各回路の機能構成の一例を示す説明図である。尚、実施例１の光伝送システム１と同一の構成には同一符号を付すことで、その重複する構成及び動作の説明については省略する。
【００６２】
図１３に示す光伝送システム１Ｂ内のノードＮＡと図２に示すノードＮとが異なるところは、第１の光増幅器２１又は第２の光増幅器２５を制御する増幅制御回路３４を有する点にある。図１３に示すノードＮＡは、光伝送路３から入力段で制御対象スーパーチャネルの短波長及び長波長側に空きスロットが存在し、制御装置２からの制御対象ＳＣ毎の調整量を取得し、制御対象ＳＣ毎の調整量に基づきＷＳＳ２３の制御対象ＳＣ毎の減衰量を調整する。
【００６３】
ノードＮＡは、制御対象ＳＣ毎の調整量に基づく減衰量を調整した後、制御対象のスーパーチャネルの短波長側の空きスロット及び長波長側の空きスロットに他のチャネル群を夫々増設し、空きスロットによる非線形雑音の影響がなくなった場合を想定する。つまり、ノードＮＡがＷＳＳ２３での設定に必要な減衰量が０ｄＢを下回り、信号パワーを増幅する必要がある場合を想定する。
【００６４】
図１４に示すＷＳＳ制御回路３２内の算出部４１は、制御対象ＳＣ毎の調整量に基づきＷＳＳ２３の減衰量を調整した後、空きスロットに他のチャネル群を増設した場合、設定に必要な減衰量が０ｄＢを下回るか否かを判定する。つまり、算出部４１は、補正ＡＴＴ値が０ｄＢを下回るか否かを判定する。算出部４１は、補正ＡＴＴ値が０ｄＢを下回る場合、これ以上、減衰できないため、増幅制御回路３４を起動する。増幅制御回路３４は、第１の光増幅器２１で制御対象のスーパーチャネルを所定単位で増幅する。そして、算出部４１は、ＯＣＭ２９から制御対象スーパーチャネル内のＳＣ毎の信号パワーのパワー量を取得する。そして、算出部４１は、増幅後の制御対象ＳＣ毎の調整量に対応するＡＴＴ補正量を算出し、算出した制御対象ＳＣ毎のＡＴＴ補正量をＷＳＳ制御部４２に設定する。ＷＳＳ制御部４２は、制御対象ＳＣ毎のＡＴＴ補正量と制御対象ＳＣの現在ＡＴＴ値との差分で補正ＡＴＴ値を算出し、算出した制御対象ＳＣ毎の補正ＡＴＴ値をＷＳＳ２３に再設定する。ＷＳＳ２３は、制御対象ＳＣ毎の補正ＡＴＴ値で制御対象ＳＣの信号パワーの減衰量を再調整する。
【００６５】
図１５は、第２の調整処理に関わるノードＮＡの処理動作の一例を示すフローチャートである。図１５に示す第２の調整処理は、補正ＡＴＴ値が０ｄＢを下回る場合、第１の光増幅器２１でスーパーチャネルを増幅し、その増幅後に、制御対象ＳＣ毎の調整量に基づきＷＳＳ２３の制御対象ＳＣ毎の減衰量を再調整する処理である。
【００６６】
図１５において各ノードＮＡ内のＷＳＳ制御回路３２内の算出部４１は、通信部３０を通じて、制御装置２から制御対象ＳＣ毎の調整量を受信したか否かを判定する（ステップＳ３１）。算出部４１は、制御対象ＳＣ毎の調整量を受信した場合（ステップＳ３１肯定）、制御対象ＳＣ毎の調整量に基づき、制御対象ＳＣ毎のＡＴＴ補正量を算出する（ステップＳ３２）。
【００６７】
ＷＳＳ制御回路３２内のＷＳＳ制御部４２は、算出した制御対象ＳＣ毎のＡＴＴ補正量と制御対象ＳＣ毎の現在のＡＴＴ値との差分で、制御対象ＳＣ毎の補正ＡＴＴ値を算出する（ステップＳ３３）。
【００６８】
算出部４１は、補正ＡＴＴ値が０ｄＢを下回るか否かを判定する（ステップＳ３４）。ＷＳＳ制御部４２は、補正ＡＴＴ値が０ｄＢを下回らない場合（ステップＳ３４否定）、ＷＳＳ２３による減衰が可能と判断し、制御対象ＳＣ毎の補正ＡＴＴ値をＷＳＳ２３に設定する（ステップＳ３５）。その結果、ＷＳＳ２３は、制御対象ＳＣ毎の補正ＡＴＴ値に基づき、制御対象ＳＣ毎の信号パワーの減衰量を調整する。
【００６９】
算出部４１は、ＯＣＭ２９を通じて制御対象ＳＣ毎の現在のパワー量を測定し（ステップＳ３６）、制御対象ＳＣ毎の現在パワー量が制御対象ＳＣ毎の調整量の設定通りであるか否かを判定する（ステップＳ３７）。算出部４１は、制御対象ＳＣ毎の現在パワー量が制御対象ＳＣ毎の調整量の設定通りの場合（ステップＳ３７肯定）、図１５に示す処理動作を終了する。算出部４１は、制御対象ＳＣ毎の現在パワー量が制御対象ＳＣ毎の調整量の設定通りでない場合（ステップＳ３７否定）、制御装置２からの制御対象ＳＣ毎の調整量を再度設定すべく、ステップＳ３２に移行する。
【００７０】
増幅制御回路３４は、補正ＡＴＴ値が０ｄＢを下回る場合（ステップＳ３４肯定）、ＷＳＳ２３による減衰が不可と判断し、第１の光増幅器２１の増幅量を所定量増加する（ステップＳ３８）。更に、算出部４１は、増幅量を所定量増幅した後、ＯＣＭ２９を通じて制御対象ＳＣ毎の現在パワー量を測定し（ステップＳ３９）、再度、制御対象ＳＣ毎の調整量に基づき制御対象ＳＣ毎のＡＴＴ補正量を再計算すべく、ステップＳ３２に移行する。また、算出部４１は、制御対象ＳＣ毎の調整量を受信しなかった場合（ステップＳ３１否定）、図１５に示す処理動作を終了する。
【００７１】
図１５に示す第２の調整処理では、補正ＡＴＴ値が０ｄＢを下回る場合、第１の光増幅器２１で制御対象スーパーチャネルを所定量増幅した後、再度、制御装置２から取得した制御対象ＳＣ毎の調整量に基づく補正ＡＴＴ値をＷＳＳ２３に再設定する。その結果、調整量に基づく調整後に、例えば、チャネル増設等で空きスロット量が変動した場合でも減衰量を調整可能にし、制御対象スーパーチャネル内のＳＣ間の伝送性能の差分がなくなる。しかも、制御対象スーパーチャネル全体の伝送特性の劣化を抑制できる。
【００７２】
実施例２では、補正ＡＴＴ値が０ｄＢを下回る場合、第１の光増幅器２１で制御対象スーパーチャネルを所定量増幅した後、再度、制御装置２から取得した制御対象ＳＣ毎の調整量に基づく補正ＡＴＴ値をＷＳＳ２３に再設定する。その結果、調整量に基づく調整後に、例えば、チャネル増設等で空きスロット量が変動した場合でも減衰量を調整可能にし、制御対象スーパーチャネル内のＳＣ間の伝送性能の差分がなくなる。しかも、制御対象スーパーチャネル全体の伝送性能の特性の劣化を抑制できる。
【００７３】
尚、上記実施例２の増幅制御回路３４が、補正ＡＴＴ値が０ｄＢを下回る場合、第１の光増幅器２１で制御対象スーパーチャネルを増幅したが、第２の光増幅器２５で増幅するようにしても良い。
【００７４】
上記実施例１では、制御装置２が制御対象スーパーチャネルと隣り合う他のチャネルとの間で空きスロットの有無を判定したが、各ノードＮ（ＮＡ）自体が空きスロットの有無を判定するようにしても良い。この場合の実施の形態につき、実施例３として、以下に説明する。
【実施例３】
【００７５】
図１６は、実施例３の光伝送システム１Ｃの一例を示す説明図、図１７は、ＯＣＭ制御回路３１Ａ及びＯＣＭ２９の機能構成の一例を示す説明図である。尚、実施例１の光伝送システム１と同一の構成には同一符号を付すことで、その重複する構成及び動作の説明については省略する。
【００７６】
図１６に示すノードＮＢと図２に示すノードＮとが異なるところは、ＯＣＭ制御回路３１Ａに制御対象スーパーチャネルと、隣り合う他のチャネル群との間の空きスロットの有無を判定する機能を有する点にある。また、制御装置２Ａは、管理テーブル１３を備えることなく、各ノードＮＢから空きスロット量を取得するものである。
【００７７】
図１７に示すＯＣＭ制御回路３１Ａは、ＯＣＭ制御部５１と、判定部５２と、測定制御部５３と、空きスロットメモリ５４とを有する。ＯＣＭ制御部５１は、ＯＣＭ２９内の可変波長フィルタ２９Ａによる波長掃引を制御する。判定部５２は、ＯＣＭ２９を通じて制御対象スーパーチャネルの短波長側及び長波長側の波長掃引に応じて波長毎に信号パワーのパワー量を測定する。判定部５２は、ＯＣＭ２９からの波長毎にパワー量を取得し、波長毎のパワー量が所定閾値を超えたか否かの判定結果に基づき、波長毎の信号有無を判定する。
【００７８】
測定制御部５３は、通信部３０を通じて制御装置２Ａからの測定リクエストを検出すると、ＯＣＭ制御部５１に対して波長掃引の起動を開始する。そして、測定制御部５３は、判定部５２の判定結果に基づき、制御対象チャネルの短波長側及び長波長側の空きスロットの有無を判定する。測定制御部５３は、短波長側の波長掃引動作を開始し、短波長側の隣り合うチャネル群の信号を検出したタイミングの波長を特定する。測定制御部５３は、短波長側のチャネル群の信号を検出した波長と、波長掃引動作を開始した短波長側のＳＣの波長とに基づき短波長側の空きスロット量を算出し、算出した空きスロット量を空きスロットメモリ５４に記憶する。
【００７９】
測定制御部５３は、長波長側の波長掃引動作を開始し、長波長側の隣り合うチャネル群の信号を検出したタイミングの波長を特定する。測定制御部５３は、長波長側のチャネル群の信号を検出した波長と、波長掃引動作を開始した長波長側のＳＣの波長とに基づき長波長側の空きスロット量を算出し、算出した空きスロット量を空きスロットメモリ５４に記憶する。
【００８０】
ＯＣＭ制御回路３１Ａは、短波長側又は長波長側の空きスロット量を検出すると、その空きスロット量を制御装置２Ａに通知する。制御装置２Ａは、測定リクエストに対する空きスロット量に応じて制御対象ノードＮＢ、制御対象スーパーチャネル及び制御対象チャネルのＳＣ本数を特定する。更に、制御装置２Ａは、特定した制御対象ノードＮＢ及び制御対象スーパーチャネルのＳＣ本数の対応テーブル１４を選定する。更に、制御装置２Ａは、選定した対応テーブル１４から空きスロット量に対応した制御対象ＳＣ毎の調整量を取得し、取得した制御対象ＳＣ毎の調整量を制御対象ノードＮＢに通知する。
【００８１】
次に実施例３の光伝送システム１Ｃの動作について説明する。図１８は、第１の通知処理に関わる制御装置２Ａの処理動作の一例を示すフローチャートである。図１８に示す第１の通知処理は、各ノードＮＢから取得した空きスロット量に対応した制御対象スーパーチャネル内の制御対象ＳＣ毎の調整量を取得し、取得した制御対象ＳＣ毎の調整量を制御対象ノードＮＢに通知する処理である。
【００８２】
図１８において制御装置２Ａ内の制御部１２は、光伝送システム１Ｃ内の各ノードＮＢに対して測定リクエストを通知する（ステップＳ４１）。制御部１２は、測定リクエストに対する判定結果を受信したか否かを判定する（ステップＳ４２）。尚、測定結果は、空きスロットの有無及び空きスロット量等である。制御部１２は、判定結果を受信した場合（ステップＳ４２肯定）、判定結果に基づき、空きスロットがあるか否かを判定する（ステップＳ４３）。
【００８３】
制御部１２は、空きスロットがある場合（ステップＳ４３肯定）、空きスロットに関わる制御対象ノードＮＢ、制御対象スーパーチャネル及び、そのＳＣ本数を特定する（ステップＳ４４）。制御部１２は、制御対象ノードＮＢ及び制御対象スーパーチャネルのＳＣ本数に対応する対応テーブル１４を選定する（ステップＳ４５）。
【００８４】
制御部１２は、選定した対応テーブル１４から、空きスロット量に対応した制御対象ＳＣ毎の調整量を取得する（ステップＳ４６）。制御部１２は、取得した制御対象ＳＣ毎の調整量を制御対象ノードＮＢに対して、通信部３０を通じて通知し（ステップＳ４７）、図１８に示す処理動作を終了する。
【００８５】
また、制御部１２は、測定リクエストに対する判定結果を受信しなかった場合（ステップＳ４２否定）、判定結果を受信したか否かを監視すべく、ステップＳ４２に移行する。また、制御部１２は、空きスロットを検出しなかった場合（ステップＳ４３否定）、図１８に示す処理動作を終了する。
【００８６】
図１８に示す第１の通知処理を実行する制御装置２Ａは、各ノードＮＢから取得した空きスロットの有無及び空きスロット量を受信した場合、空きスロット量に対応した制御対象スーパーチャネル内の制御対象ＳＣ毎の調整量を対応テーブル１４から取得する。そして、制御装置２Ａは、取得した制御対象ＳＣ毎の調整量を制御対象ノードＮＢに通知できる。
【００８７】
図１９は、空きスロット判定処理に関わるノードＮＢの処理動作の一例を示すフローチャートである。図１９に示す空きスロット測定処理は、制御装置２Ａからの測定リクエストに応じて制御対象スーパーチャネルと隣り合うチャネル群との間の空きスロットの有無を判定し、その判定結果を制御装置２Ａに通知する処理である。
【００８８】
図１９においてノードＮＢ内のＯＣＭ制御回路３１内の測定制御部５３は、通信部３０を通じて制御装置２Ａから測定リクエストを受信したか否かを判定する（ステップＳ５１）。測定制御部５３は、測定リクエストを受信した場合（ステップＳ５１肯定）、制御対象スーパーチャネルの長波長側の端ＳＣから波長掃引の測定を開始する（ステップＳ５２）。ＯＣＭ制御部５１は、ＯＣＭ２９を通じて長波長側の端ＳＣから長波長方向に波長掃引しながら信号パワーのパワー量を測定する（ステップＳ５３）。
【００８９】
ＯＣＭ制御回路３１内の判定部５２は、ＯＣＭ２９からパワー量の測定結果に基づき、信号があるか否かを判定する（ステップＳ５４）。測定制御部５３は、信号がある場合（ステップＳ５４肯定）、制御対象スーパーチャネルと隣り合うチャネル群と判断し、信号ありの波長を取得する（ステップＳ５５）。更に、測定制御部５３は、信号ありの波長と、波長掃引開始の端ＳＣの波長とで長波長側の空きスロット量を算出し（ステップＳ５６）、長波長側の空きスロット量を空きスロットメモリ５４に記憶する（ステップＳ５７）。
【００９０】
そして、測定制御部５３は、制御対象スーパーチャネルの短波長側の端ＳＣから波長掃引の測定を開始する（ステップＳ５８）。ＯＣＭ制御部５１は、ＯＣＭ２９を通じて短波長側の端ＳＣから短波長方向に波長掃引しながら信号パワーのパワー量を測定する（ステップＳ５９）。
【００９１】
判定部５２は、ＯＣＭ２９からパワー量の測定結果に基づき、信号があるか否かを判定する（ステップＳ６０）。測定制御部５３は、信号がある場合（ステップＳ６０肯定）、制御対象スーパーチャネルと隣り合うチャネル群と判断し、信号ありの波長を取得する（ステップＳ６１）。更に、測定制御部５３は、信号ありの波長と、波長掃引開始の端ＳＣの波長とで短波長側の空きスロット量を算出し（ステップＳ６２）、短波長側の空きスロット量を空きスロットメモリ５４に記憶する（ステップＳ６３）。
【００９２】
更に、測定制御部５３は、通信部３０を通じて、空きスロットメモリ５４内に記憶した判定結果を制御装置２Ａに通知し（ステップＳ６４）、図１９に示す処理動作を終了する。
【００９３】
また、測定制御部５３は、測定結果に基づき信号なしの場合（ステップＳ５４否定）、長波長方向の波長掃引で影響波長帯域を超えたか否かを判定する（ステップＳ６５）。尚、ステップＳ６５の影響波長帯域は、相互位相変調の非線形雑音の影響を受ける長波長側の波長である。測定制御部５３は、長波長方向の波長掃引で影響波長帯域を超えた場合（ステップＳ６５肯定）、長波長側の空きスロットなしと判断し、長波長側の空きスロットなしを空きスロットメモリ５４に記憶し（ステップＳ６６）、ステップＳ５８に移行する。また、測定制御部５３は、長波長方向の波長掃引で影響波長帯域を超えなかった場合（ステップＳ６５否定）、長波長方向の波長掃引を継続すべく、ステップＳ５３に移行する。
【００９４】
また、測定制御部５３は、測定結果に基づき信号なしの場合（ステップＳ６０否定）、短波長方向の波長掃引で影響波長帯域を超えたか否かを判定する（ステップＳ６７）。尚、ステップＳ６７の影響波長帯域は、相互位相変調の非線形雑音の影響を受ける短波長側の波長である。測定制御部５３は、短波長方向の波長掃引で影響波長帯域を超えた場合（ステップＳ６７肯定）、短波長側の空きスロットなしと判断し、短波長側の空きスロットなしを空きスロットメモリ５４に記憶し（ステップＳ６８）、ステップＳ６４に移行する。また、測定制御部５３は、短波長方向の波長掃引で影響波長帯域を超えなかった場合（ステップＳ６７否定）、短波長方向の波長掃引を継続すべく、ステップＳ５９に移行する。
【００９５】
図１９に示す空きスロット判定処理を実行するノードＮＢは、制御装置２Ａからの測定リクエストを受信した場合、波長可変フィルタ２９Ａで波長掃引し、制御対象スーパーチャネル内の長波長側の信号有無を判定する。そして、ノードＮＢは、長波長側の信号有りと判定された波長に基づき、長波長側の空きスロット量を算出する。その結果、ノードＮＢは、制御対象スーパーチャネルの長波長側の空きスロット量を取得できる。
【００９６】
また、ノードＮＢは、短波長側の信号有りと判定された波長に基づき、短波長側の空きスロット量を算出する。その結果、ノードＮＢは、制御対象スーパーチャネルの短波長側の空きスロット量を取得できる。
【００９７】
実施例３の制御装置２Ａは、ノードＮＢから制御対象スーパーチャネルとの空きスロット量を取得し、取得した空きスロット量に対応する制御対象ＳＣ毎の調整量を対応テーブル１４から取得し、取得した制御対象ＳＣ毎の調整量を制御対象ノードＮＢに通知する。その結果、制御装置２Ａは、空きスロット量の取得処理を各ノードＮＢに分担させるため、その処理負担を軽減できる。そして、制御対象スーパーチャネル内の長波長側及び短波長側のいずれか一方に空きスロットが存在する場合でも、制御対象スーパーチャネル内のＳＣ間の伝送性能の差分がなくなる。しかも、制御対象スーパーチャネル全体の伝送特性の劣化を抑制できる。
【００９８】
また、上記実施例では、制御対象スーパーチャネル内の制御対象ＳＣ毎の調整量を、中央のＳＣを基準の０ｄＢにし、中央のＳＣから両端のＳＣに近付くに連れて信号パワーの減衰方向に大きくなるように設定した。しかしながら、例えば、両端のＳＣを基準の０ｄＢにし、両端のＳＣから中央のＳＣに近付くに連れて信号パワーの増幅方向に大きくなるように調整量を設定しても良く、この場合の実施の形態につき、実施例４として以下に説明する。
【実施例４】
【００９９】
図２０は、制御対象のスーパーチャネル内のＳＣ１〜ＳＣ４とＢＥＲとの関係の一例を示す説明図、図２１は、対応テーブル１４の一例を示す説明図である。尚、実施例２の光伝送システム１Ｂと同一の構成には同一符号を付すことで、その重複する構成及び動作の説明については省略する。
【０１００】
例えば、ＳＣ１〜ＳＣ４の４本のＳＣのスーパーチャネルを制御対象とし、例えば、空きスロット量が２５ＧＨｚの場合を想定する。この場合、制御装置２は、図２１の（Ａ）に示すように、両端のＳＣ１及びＳＣ４の調整量を０ｄＢ、中央のＳＣ３及びＳＣ４の調整量を＋０．５ｄＢに設定した対応テーブル１４Ｘを準備する。つまり、ＳＣ本数が４本以上の偶数の場合、図２０に示すように、両端の２個のＳＣの調整量を０ｄＢにし、両端のＳＣから中央のＳＣに近付くに連れて調整量を信号パワーの増幅方向に大きくする。
【０１０１】
また、例えば、ＳＣ１〜ＳＣ５の５本のＳＣのスーパーチャネルを制御対象とし、例えば、空きスロット量が２５ＧＨｚの場合を想定する。この場合、制御装置２は、図２１の（Ｂ）に示すように、両端のＳＣ１及びＳＣ５の調整量を０ｄＢ、その次のＳＣ２及びＳＣ４の調整量を＋０．５ｄＢ、中央のＳＣ３の調整量を＋１．０ｄＢに設定した対応テーブル１４Ｙを準備する。つまり、ＳＣ本数が奇数の場合、両端の２個のＳＣの調整量を０ｄＢ、両端のＳＣから中央のＳＣに近付くに連れて調整量を信号パワーの増幅方向に大きくする。
【０１０２】
制御装置２は、光伝送システム１Ｂ内のノードＮの空きスロットを検出すると、空きスロットに隣接するスーパーチャネルを伝送するノードＮの対応テーブル１４の内、当該スーパーチャネルのＳＣの本数に対応した対応テーブル１４を選定する。更に、制御装置２は、選定した対応テーブル１４から空きスロット量に対応した制御対象ＳＣ毎の調整量を取得する。例えば、制御対象のスーパーチャネル内のＳＣが４本で、短波長側の空きスロット量及び長波長側の空きスロット量が同量の２５ＧＨｚの場合を想定する。この場合、制御装置２は、ＳＣ１及びＳＣ４を０ｄＢ、ＳＣ２及びＳＣ３を＋０．５ｄＢの調整量を対応テーブル１４Ｘから取得する。更に、制御装置２は、取得した制御対象ＳＣ及び、制御対象ＳＣ毎の調整量を制御対象ノードＮに通知する。そして、制御対象ノードＮは、制御装置２からの制御対象ＳＣ毎の調整量を取得し、調整量に基づき第１の光増幅器２１のＳＣ毎の増幅量を調整する。その結果、ノードＮは、図２０に示すように、制御対象ＳＣ毎の調整量に応じて第１の光増幅器２１の増幅量の調整でＳＣ間のＢＥＲの差がなく、制御対象スーパーチャネル全体の伝送特性も安定する。尚、ノードＮは、制御対象ＳＣ毎の調整量に応じてＷＳＳ２３のＳＣ毎の減衰量を調整するようにしても良い。
【０１０３】
実施例４では、制御対象スーパーチャネルとの間で空きスロットを検出すると、空きスロット量に対応した、制御対象スーパーチャネルの制御対象ＳＣ毎の調整量を取得し、制御対象ＳＣ毎の調整量に基づく増幅量を第１の光増幅器２１に設定する。第１の光増幅器２１は、制御対象ＳＣ毎の増幅量に基づき制御対象ＳＣ毎に信号パワーを増幅する。つまり、第１の光増幅器２１は、空きスロット側の端のＳＣを基準にし、端のＳＣから中央のＳＣに近付くに連れて信号パワーを増幅する。その結果、制御対象スーパーチャネル内のＳＣ間の伝送性能の差分がなくなるため、制御対象スーパーチャネル全体の伝送性能の特性の劣化を抑制できる。そして、信号品質の向上や伝搬距離の延長を実現できる。
【０１０４】
制御装置２は、制御対象スーパーチャネルの短波長及び長波長側の空きスロット量が同一の場合、空きスロット量に対応した制御対象ＳＣの調整量を制御対象ノードＮに通知する。制御対象ノードＮは、制御装置２から取得した制御対象ＳＣ毎の調整量に基づく増幅量を第１の光増幅器２１に設定する。第１の光増幅器２１は、制御対象ＳＣ毎の増幅量に基づき制御対象ＳＣ毎に信号パワーを増幅する。その結果、制御対象スーパーチャネル内のＳＣ間の伝送性能の差分がなくなるため、制御対象スーパーチャネル全体の伝送性能の特性の劣化を抑制できる。
【０１０５】
制御装置２は、制御対象スーパーチャネルの短波長側の空きスロット量及び長波長側の空きスロット量が異なる場合、短波長側の空きスロット量に対応した制御対象ＳＣ毎の調整量を取得する。更に、制御装置２は、長波長側の空きスロット量に対応した制御対象ＳＣ毎の調整量を取得する。制御装置２は、長波長側の空きスロット量及び短波長側の空きスロット量に対応した制御対象ＳＣ毎の調整量を制御対象ノードＮに通知する。制御対象ノードＮは、制御装置２から取得した制御対象ＳＣ毎の調整量に基づく増幅量を第１の増幅器２１に設定する。第１の光増幅器２１は、制御対象ＳＣ毎の増幅量に基づき制御対象ＳＣ毎に信号パワーを増幅する。その結果、制御対象スーパーチャネルの長波長及び短波長側の空きスロット量が異なる場合でも、制御対象スーパーチャネル内のＳＣ間の伝送性能の差分がなくなるため、制御対象スーパーチャネル全体の伝送性能の特性の劣化を抑制できる。
【０１０６】
尚、上記実施例では、制御対象としてスーパーチャネルを例示したが、制御対象として、例えば、ＷＤＭシステムにおいても、その宛先が同一の複数の隣接する波長信号にも適用可能である。
【０１０７】
また、上記実施例では、対応テーブル１４を制御装置２内に保持し、空きスロット量に対応した制御対象ＳＣ毎の調整量を取得した。しかしながら、対応テーブル１４を制御装置２に保持させるのではなく、対応テーブルを各ノードＮ（ＮＡ，ＮＢ）内に保持させても良い。この場合、ノードＮは、制御装置２と通信することなく、空きスロット量に応じて制御対象ＳＣ毎の調整量を自身で管理する対応テーブルから取得し、調整量に基づく補正ＡＴＴ値をＷＳＳ２３内に設定する。この場合、空きスロット量に応じて制御対象ＳＣ毎の調整量を取得及び通知する制御装置２側の処理負担を軽減できる。
【０１０８】
空きスロット量は、制御対象スーパーチャネルと隣り合う他のチャネルとの間の空き周波数帯域幅としたが、制御対象スーパーチャネルと隣り合う他のチャネルとの間のチャネル間隔から信号帯域幅を差し引いた帯域幅としても良い。
【０１０９】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１１０】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【０１１１】
１  光伝送システム
２  制御装置
Ｎ  ノード
１２  制御部
１４  対応テーブル
２１  第１の光増幅器
２３  ＷＳＳ
２９  ＯＣＭ
３１  ＯＣＭ制御回路
３２  ＷＳＳ制御回路
４１  算出部
４２  ＷＳＳ制御部
【図１】
0006369262.tif 000002
【図２】
0006369262.tif 000003
【図３】
0006369262.tif 000004
【図４】
0006369262.tif 000005
【図５】
0006369262.tif 000006
【図６】
0006369262.tif 000007
【図７】
0006369262.tif 000008
【図８】
0006369262.tif 000009
【図９】
0006369262.tif 000010
【図１０】
0006369262.tif 000011
【図１１】
0006369262.tif 000012
【図１２】
0006369262.tif 000013
【図１３】
0006369262.tif 000014
【図１４】
0006369262.tif 000015
【図１５】
0006369262.tif 000016
【図１６】
0006369262.tif 000017
【図１７】
0006369262.tif 000018
【図１８】
0006369262.tif 000019
【図１９】
0006369262.tif 000020
【図２０】
0006369262.tif 000021
【図２１】
0006369262.tif 000022
【図２２】
0006369262.tif 000023